【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
光を発生する光源と、
前記光を受信する入射面、前記入射面を通じて入射された光を出射する出射面、前記出射面と対向し、前記入射された光を反射する反射面、及び前記出射面上にレンチキュラー形状に提供された突出部を具備する導光板と、を含み、
前記反射面は前記入射面に隣接し、前記出射面側へ傾いた傾斜面を具備し、
前記出射面は、前記入射面から順次に隣接する第１及び第２領域に区分され、
前記突出部は、前記第２領域に提供され、前記第２領域は前記突出部の高さ及び弦長（弦の長さ）が前記出射面の前記第１領域から遠くなるほど、増加する第１レンチキュラー領域、及び前記突出部が一定な高さ及び弦長（弦の長さ）を有する第２レンチキュラー領域を含むことを特徴とするバックライトユニット。
【請求項２】
前記第１レンチキュラー領域で前記突出部は前記入射面の横方向と垂直な第１方向に延長された半円錐形状を有し、前記第２レンチキュラー領域で前記突出部は前記入射面の横方向と垂直な第１方向に延長された半円柱形状を有することを特徴とする請求項１に記載のバックライトユニット。
【請求項３】
前記第１レンチキュラー領域の前記突出部は前記第２レンチキュラー領域の前記突出部と繋がることを特徴とする請求項２に記載のバックライトユニット。
【請求項４】
前記突出部の高さ及び弦長（弦の長さ）の比率は、前記第１レンチキュラー領域内で同一であることを特徴とする請求項３に記載のバックライトユニット。
【請求項５】
前記傾斜面が形成された領域の幅（前記入射面を基準に前記傾斜面が開始される地点から前記傾斜面が終わる地点までの、前記入射面の横方向と垂直な方向の距離）は前記第１領域の幅（前記入射面の横方向と垂直な方向の幅）より小さく、
前記傾斜面は前記入射面側へ行くほど、前記出射面から遠くなる方向へ傾いたことを特徴とする請求項１に記載のバックライトユニット。
【請求項６】
前記反射面は前記出射面と平行である第１フラット面及び前記入射面と前記傾斜面との間に前記出射面と平行である第２フラット面をさらに含むことを特徴とする請求項５に記載のバックライトユニット。
【請求項７】
前記導光板は前記出射面に具備されて前記入射面を通じて入射された前記光を前記出射面側に反射する反射パターンをさらに含むことを特徴とする請求項５に記載のバックライトユニット。
【請求項８】
前記光源は前記入射面の横方向に沿って配列された複数の発光ダイオードを含み、
前記第２領域で前記反射パターンは、前記発光ダイオードに対応する領域でよりも、互に隣接する２つの前記発光ダイオードの間の領域で、低い密度を有することを特徴とする請求項７に記載のバックライトユニット。
【請求項９】
前記出射面の下部に位置して前記出射面から漏洩した光を前記出射面側に反射する反射板をさらに含むことを特徴とする請求項１に記載のバックライトユニット。
【請求項１０】
前記反射板は前記出射面と平行である平板形態を有することを特徴とする請求項９に記載のバックライトユニット。
【請求項１１】
前記導光板は前記傾斜面に対応して形成された散乱剤をさらに含むことを特徴とする請求項１０に記載のバックライトユニット。
【請求項１２】
前記反射板は前記傾斜面に従って傾いた構造を有することを特徴とする請求項１０に記載のバックライトユニット。
【請求項１３】
映像を表示する表示ユニットと、
前記表示ユニットへ光を提供するバックライトユニットと、
前記バックライトユニットを収納する収納容器と、を含み、
前記バックライトユニットは、
光を発生する光源と、
前記光を受信する入射面、前記入射面を通じて入射された光を出射する出射面、前記出射面と対向し、前記入射された光を反射する反射面、及び前記出射面上にレンチキュラー形状に提供された突出部を具備する導光板と、を含み、
前記出射面は前記入射面に隣接し、前記出射面側へ傾いた傾斜面を具備し、
前記出射面は前記入射面から順次に隣接する第１及び第２領域に区分され、前記突出部は前記第２領域に提供され、前記第２領域は前記突出部の高さ及び弦長（弦の長さ）が前記出射面の前記第１領域から遠くなるほど、増加する第１レンチキュラー領域、及び前記突出部が一定な高さ及び弦長（弦の長さ）を有する第２レンチキュラー領域を含むことを特徴とする表示装置。
【請求項１４】
前記第１レンチキュラー領域の前記突出部は前記入射面の横方向と垂直な第１方向に延長された半円錐形状を有し、前記第２レンチキュラー領域の前記突出部は前記入射面の横方向と垂直な前記第１方向に延長された半円柱形状を有することを特徴とする請求項２０に記載の表示装置。
【請求項１５】
前記傾斜面が形成された領域の幅（前記入射面を基準に前記傾斜面が開始される地点から前記傾斜面が終わる地点までの、前記入射面の横方向と垂直な方向の距離）は前記第１領域の幅（前記入射面の横方向に垂直な方向の幅）より小さく、
前記入射面側へ行くほど、前記出射面から遠くなる方向へ傾くことを特徴とする請求項１４に記載の表示装置。
【請求項１６】
前記導光板は前記出射面に具備されて前記入射面を通じて入射された前記光を前記出射面側に反射する反射パターンをさらに含むことを特徴とする請求項１５に記載の表示装置。
【請求項１７】
前記光源は前記入射面の横方向に沿って配列された複数の発光ダイオードを含み、
前記第２領域で前記反射パターンは、前記発光ダイオードに対応する領域でよりも、互に隣接する２つの前記発光ダイオードの間の領域で、低い密度を有することを特徴とする請求項１６に記載の表示装置。
【請求項１８】
前記出射面の下部に位置して前記出射面から漏洩した光を前記出射面側に反射する反射板をさらに含むことを特徴とする請求項１４に記載の表示装置。
【請求項１９】
前記反射板は前記出射面と平行である平板形態を有し、
前記導光板は前記傾斜部に対応して形成された散乱剤をさらに含むことを特徴とする請求項１８に記載の表示装置。
【請求項２０】
前記収納容器は、
前記バックライトユニットが安着される底部と、
前記底部から延長された側壁と、
前記側壁から前記底部と平行に延長されて前記光源をカバーするカバー部と、を含み、
前記収納容器の前記底部は前記導光板側に向けて陥没して前記収納容器の背面に部品収容部を提供することを特徴とする請求項１４に記載の表示装置。
【手続補正２】
【補正対象書類名】明細書
【補正対象項目名】０００７
【補正方法】変更
【補正の内容】
【０００７】
本発明の一実施形態によるバックライトユニットは、光を発生する光源と、前記光を受信する入射面、前記入射面を通じて入射された光を出射する出射面、前記出射面と対向し、前記入射された光を反射する反射面、及び前記出射面上にレンチキュラー形状に提供された突出部を具備する導光板と、を含み、前記反射面は前記入射面に隣接し、前記出射面側へ傾いた傾斜面を具備し、前記出射面は、前記入射面から順次に隣接する第１及び第２領域に区分され、前記突出部は、前記第２領域に提供され、前記第２領域は前記突出部の高さ及び弦長（弦の長さ）が前記出射面の前記第１領域から遠くなるほど、増加する第１レンチキュラー領域、及び前記突出部が一定な高さ及び弦長（弦の長さ）を有する第２レンチキュラー領域を含むことを特徴とする。
【手続補正３】
【補正対象書類名】明細書
【補正対象項目名】０００８
【補正方法】変更
【補正の内容】
【０００８】
本発明の一実施形態による表示装置は、映像を表示する表示ユニットと、前記表示ユニットへ光を提供するバックライトユニットと、前記バックライトユニットを収納する収納容器と、を含み、前記バックライトユニットは、光を発生する光源と、前記光を受信する入射面、前記入射面を通じて入射された光を出射する出射面、前記出射面と対向し、前記入射された光を反射する反射面、及び前記出射面上にレンチキュラー形状に提供された突出部を具備する導光板と、を含み、前記出射面は前記入射面に隣接し、前記出射面側へ傾いた傾斜面を具備し、前記出射面は前記入射面から順次に隣接する第１及び第２領域に区分され、前記突出部は前記第２領域に提供され、前記第２領域は前記突出部の高さ及び弦長（弦の長さ）が前記出射面の前記第１領域から遠くなるほど、増加する第１レンチキュラー領域、及び前記突出部が一定な高さ及び弦長（弦の長さ）を有する第２レンチキュラー領域を含むことを特徴とする。